(57)【要約】【課題】  試しプリント後の印刷条件の再設定を簡易に行える画像形成装置を実現すること。【解決手段】  試しプリント部２０４の試しプリントの後に印刷条件の変更を行う際に、変更ページをページ単位あるいはグループ単位に操作部１０８の切換部により選択し、この選択された印刷条件を変更の後に、指定されたページ、グループあるいはジョブごとに、変更部２０５を用いてページ単位の個別印刷条件を形成し、画像メモリ１０６に保持することとしているので、試しプリントで確認された設定ミスのあるページ部分のみの設定変更を効率的に行い、さらに画像メモリ１０６に個別印刷条件を保持する際の適用範囲もページ単位、グループ単位あるいはジョブ単位ごとに最適な範囲で持って行い、設定の労力および時間を軽減し、設定ミスも減らすことを実現させる。【選択図】        図１
2006042303.tif 000002
【特許請求の範囲】
【請求項１】
画像情報に基づく画像を記録媒体に形成するための画像形成装置であって、
複数ページの画像情報について、ページ単位で印刷条件を記憶するための記憶部と、
前記記憶部に記憶されている印刷条件に応じて、印刷条件を設定するための印刷条件設定部と、
設定された印刷条件に応じた試しプリントを行う試しプリント部と、
前記試しプリント後に、複数ページから選択される変更ページの印刷条件の変更内容を入力する入力部と、
前記変更内容に基づき、選択された前記変更ページの印刷条件の設定を変更するための変更部と、
を有することを特徴とする画像形成装置。
【請求項２】
前記試しプリント後に、前記変更ページの印刷条件を表示するためのデータを出力する出力部を有することを特徴とする請求項１に記載の画像形成装置。
【請求項３】
前記試しプリント後に、前記変更ページの印刷条件を表示するための表示部を有することを特徴とする請求項２に記載の画像形成装置。
【請求項４】
前記選択をページ単位で行うか、あるいは印刷条件が同一である複数ページを有するグループ単位で行うかを切り替えられることを特徴とする請求項１ないし３のいずれか１つに記載の画像形成装置。
【請求項５】
複数ページから変更ページを選択および変更ページの印刷条件の変更内容の入力のために操作を行うための操作部を有することを特徴とする請求項１ないし４のいずれか１つに記載の画像形成装置。
【請求項６】
前記操作部は、前記選択をページ単位で行うか、あるいは印刷条件が同一である複数ページを有するグループ単位で行うかを切り換える切換部を有することを特徴とする請求項５に記載の画像形成装置。
【請求項７】
前記操作部は、前記選択をページ単位あるいグループ単位で移動するシフト手段を備えることを特徴とする請求項６に記載の画像形成装置。
【請求項８】
前記変更部は、前記変更を指定される単数あるいは複数ページに行うことを特徴とする請求項１ないし７のいずれか１つに記載の画像形成装置。
【請求項９】
複数ページから変更ページを選択および変更ページの印刷条件の変更内容の入力のために操作を行うための操作部を有し、
前記操作部は、単数あるいは複数ページを指定するページ適用手段を備えることを特徴とする請求項８に記載の画像形成装置。
【請求項１０】
前記変更部は、前記変更を印刷条件が同一であるグループに行うグループ変換手段を備えることを特徴とする請求項１ないし９のいずれか１つに記載の画像形成装置。
【請求項１１】
複数ページから変更ページを選択および変更ページの印刷条件の変更内容の入力のために操作を行うための操作部を有し、
前記操作部は、前記グループを指定するグループ適用手段を備えることを特徴とする請求項１０に記載の画像形成装置。
【請求項１２】
前記変更部は、前記変更を前記複数ページをすべて含むジョブに行うジョブ適用手段を備えることを特徴とする請求項１ないし１１のいずれか１つに記載の画像形成装置。
【請求項１３】
複数ページから変更ページを選択および変更ページの印刷条件の変更内容の入力のために操作を行うための操作部を有し、
前記操作部は、前記ジョブを指定するジョブ適用手段を備えることを特徴とする請求項１２に記載の画像形成装置。
【請求項１４】
前記試しプリント部は、前記複数ページのすべてを含む１つのジョブを試しプリントすることを特徴とする請求項１ないし１３のいずれか１つに記載の画像形成装置。
【請求項１５】
画像情報に基づく画像を記録媒体に形成するための画像形成装置であって、
複数ページの画像情報について、ページ単位で印刷条件を記憶するための記憶部と、
前記記憶部に記憶されている印刷条件に応じて、印刷条件を設定するための印刷条件設定部と、
印刷条件が同一である複数ページを１つのグループとして選択する選択部と、
前記選択部により選択されたグループの印刷条件の変更内容を入力する入力部と、
前記変更内容に基づき、選択された前記グループの印刷条件の設定を変更するための変更部と、
を有することを特徴とする画像形成装置。
【請求項１６】
前記選択をページ単位で行うか、あるいは印刷条件が同一である複数ページを有するグループ単位で行うかを切り換えられることを特徴とする請求項１５に記載の画像形成装置。
【請求項１７】
複数ページから変更ページを選択および変更ページの印刷条件の変更内容の入力のために操作を行うための操作部を有することを特徴とする請求項１５または１６に記載の画像形成装置。
【請求項１８】
前記操作部は、前記選択をページ単位で行うか、あるいは印刷条件が同一である複数ページを有するグループ単位で行うかを切り換える切換部を有することを特徴とする請求項１７に記載の画像形成装置。
【請求項１９】
前記操作部は、前記選択をページ単位あるいグループ単位で移動するシフト手段を備えることを特徴とする請求項１８に記載の画像形成装置。
【請求項２０】
複数ページから変更ページを選択および変更ページの印刷条件の変更内容の入力のために操作を行うための操作部を有し、
前記操作部は、複数ページを指定するページ適用手段を備えることを特徴とする請求項１９に記載の画像形成装置。
【請求項２１】
前記変更部は、前記変更を前記複数ページをすべて含むジョブに行うジョブ適用手段を備えることを特徴とする請求項１５ないし２０のいずれか１つに記載の画像形成装置。
【請求項２２】
複数ページから変更ページを選択および変更ページの印刷条件の変更内容の入力のために操作を行うための操作部を有し、
前記操作部は、前記ジョブを指定するジョブ適用手段を備えることを特徴とする請求項２１に記載の画像形成装置。
【発明の詳細な説明】
【技術分野】
【０００１】
この発明は、画像情報を記録媒体に画像形成し、この記録媒体に後処理を施す画像形成装置に関する。
【背景技術】
【０００２】
近年、画像形成装置で行われる印刷処理の高度化に伴い、入力される記録紙のページ単位で印刷条件の設定、管理が行われつつある（例えば、特許文献１参照）。これらの画像形成装置は、ページごとに印刷条件の設定が行われ、ページごとの印刷条件に基づいて画像形成が行われ、高品質で多用な出力形態を実現している。
【０００３】
また、画像形成装置では、印刷条件として画質の設定条件に加え、後処理、例えばステープル処理、パンチ処理等の条件もページごとに設定されることも行われる。そして、これらの後処理は、印刷処理の高度化に伴い、高機能化および複雑化が進んでいる。また、後処理以外に、画像形成を行う条件として、頁情報付加、例えばページ番号の付加、レイアウト処理、例えば、１枚の記録紙に複数の画像を記録するなどの高機能な処理も行われている。
【特許文献１】特開２００２―９９１７９号公報、（第４頁、第５〜６図）
【発明の開示】
【発明が解決しようとする課題】
【０００４】
しかしながら、これら印刷条件の高機能化および複雑化に伴い、設定ミスが生じる。上記背景技術によれば、設定ミスが生じた場合の再設定に労力と時間を要する。つまり、設定ミスが発覚した際に、オペレータは、決められた手順に沿った設定を初めから頁毎に繰り返し、再度確認および訂正を行う必要があった。
【０００５】
特に、多量のページに渡る複雑な印刷条件の入力では、労力と時間を要するのみでなく、設定ミスを犯すことも生じ、オペレータに緊張と集中力を強いるものである。
また、設定ミスに起因する画像形成の不良出力を防止する為に、試しプリントを行うことができる。試しプリントでは、ジョブ単位のページをプリント出力し、オペレータにより設定された印刷条件の確認を行う。
【０００６】
しかしながら、試しプリントを行ったとしても、印刷条件を変更したい場合には、上記と同様に、再設定に労力と時間を要するという問題が残る。そこで、印刷条件の再設定を簡易に行える画像形成装置をいかに実現するかが重要となる。
【０００７】
この発明は、上述した背景技術による課題を解決するためになされたものであり、印刷条件の再設定を簡易に行える画像形成装置を提供することを目的とする。
【課題を解決するための手段】
【０００８】
上述した課題を解決し、目的を達成するために、請求項１に記載の発明にかかる画像形成装置は、画像情報に基づく画像を記録媒体に形成するための画像形成装置であって、複数ページの画像情報について、ページ単位で印刷条件を記憶するための記憶部と、前記記憶部に記憶されている印刷条件に応じて、印刷条件を設定するための印刷条件設定部と、設定された印刷条件に応じた試しプリントを行う試しプリント部と、前記試しプリント後に、複数ページから選択される変更ページの印刷条件の変更内容を入力する入力部と、前記変更内容に基づき、選択された前記変更ページの印刷条件の設定を変更するための変更部と、を有することを特徴とする。
【０００９】
この請求項１に記載の発明では、記憶部により、複数ページの画像情報について、ページ単位で印刷条件を記憶し、印刷条件設定部により、記憶部に記憶されている印刷条件に応じて、印刷条件を設定し、試しプリント部により、設定された印刷条件に応じた試しプリントを行い、この試しプリント後に、入力部により、複数ページから選択される変更ページの印刷条件の変更内容を入力し、変更部により、この変更内容に基づき、選択された変更ページの印刷条件の設定を変更する。
【００１０】
また、請求項２に記載の発明にかかる画像形成装置は、請求項１に記載の発明において、前記試しプリント後に、前記変更ページの印刷条件を表示するためのデータを出力する出力部を有することを特徴とする。
【００１１】
この請求項２に記載の発明では、出力部により、印刷情報を出力する。
また、請求項３に記載の発明にかかる画像形成装置は、請求項２に記載の発明において、前記試しプリント後に、前記変更ページの印刷条件を表示するための表示部を有することを特徴とする。
【００１２】
この請求項３に記載の発明では、表示部により、印刷情報を表示する。
また、請求項４に記載の発明にかかる画像形成装置は、請求項１ないし３のいずれか１つに記載の発明において、前記選択をページ単位で行うか、あるいは印刷条件が同一である複数ページを有するグループ単位で行うかを切り替えられることを特徴とする。
【００１３】
また、請求項５に記載の発明にかかる画像形成装置は、請求項１ないし４のいずれか１つに記載の発明において、複数ページから変更ページを選択および変更ページの印刷条件の変更内容の入力のために操作を行うための操作部を有することを特徴とする。
【００１４】
この請求項５に記載の発明では、操作部により、ページの選択および印刷条件の変更の操作を行う。
また、請求項６に記載の発明にかかる画像形成装置は、請求項５に記載の発明において、前記操作部が、前記選択をページ単位で行うか、あるいは印刷条件が同一である複数ページを有するグループ単位で行うかを切り換える切換部を有することを特徴とする。
【００１５】
この請求項６に記載の発明では、切換部により、ページ単位あるいはグループ単位の切り換えを行う。
また、請求項７に記載の発明にかかる画像形成装置は、請求項６に記載の発明において、前記操作部が、前記選択をページ単位あるいグループ単位で移動するシフト手段を備えることを特徴とする。
【００１６】
また、請求項８に記載の発明にかかる画像形成装置は、請求項１ないし７のいずれか１つに記載の発明において、前記変更部が、前記変更を指定される単数あるいは複数ページに行うことを特徴とする。
【００１７】
また、請求項９に記載の発明にかかる画像形成装置は、請求項８に記載の発明において、複数ページから変更ページを選択および変更ページの印刷条件の変更内容の入力のために操作を行うための操作部を有し、前記操作部は、単数あるいは複数ページを指定するページ適用手段を備えることを特徴とする。
【００１８】
また、請求項１０に記載の発明にかかる画像形成装置は、請求項１ないし９のいずれか１つに記載の発明において、前記変更部が、前記変更を印刷条件が同一であるグループに行うグループ変換手段を備えることを特徴とする。
【００１９】
また、請求項１１に記載の発明にかかる画像形成装置は、請求項１０に記載の発明において、複数ページから変更ページを選択および変更ページの印刷条件の変更内容の入力のために操作を行うための操作部を有し、前記操作部は、前記グループを指定するグループ適用手段を備えることを特徴とする。
【００２０】
また、請求項１２に記載の発明にかかる画像形成装置は、請求項１ないし１１のいずれか１つに記載の発明において、前記変更部が、前記変更を前記複数ページをすべて含むジョブに行うジョブ適用手段を備えることを特徴とする。
【００２１】
また、請求項１３に記載の発明にかかる画像形成装置は、請求項１２に記載の発明において、複数ページから変更ページを選択および変更ページの印刷条件の変更内容の入力のために操作を行うための操作部を有し、前記操作部は、前記ジョブを指定するジョブ適用手段を備えることを特徴とする。
【００２２】
また、請求項１４に記載の発明にかかる画像形成装置は、請求項１ないし１３のいずれか１つに記載の発明において、前記試しプリント部が、前記複数ページのすべてを含む１つのジョブを試しプリントすることを特徴とする。
【００２３】
また、請求項１５に記載の発明にかかる画像形成装置は、画像情報に基づく画像を記録媒体に形成するための画像形成装置であって、複数ページの画像情報について、ページ単位で印刷条件を記憶するための記憶部と、前記記憶部に記憶されている印刷条件に応じて、印刷条件を設定するための印刷条件設定部と、印刷条件が同一である複数ページを１つのグループとして選択する選択部と、前記選択部により選択されたグループの印刷条件の変更内容を入力する入力部と、前記変更内容に基づき、選択された前記グループの印刷条件の設定を変更するための変更部と、を有することを特徴とする。
【００２４】
この請求項１５に記載の発明では、記憶部により、ページ単位で印刷条件を記憶し、印刷条件設定部により、この記憶部に記憶されている印刷条件に応じて、印刷条件を設定し、選択部により、印刷条件が同一である複数ページを１つのグループとして選択し、入力部により、選択されたグループの印刷条件の変更内容を入力し、この変更内容に基づき、変更部により、選択されたグループの印刷条件の設定を変更する。
【００２５】
また、請求項１６に記載の発明にかかる画像形成装置は、請求項１５に記載の発明において、前記選択をページ単位で行うか、あるいは印刷条件が同一である複数ページを有するグループ単位で行うかを切り換えられることを特徴とする。
【００２６】
また、請求項１７に記載の発明にかかる画像形成装置は、請求項１５または１６に記載の発明において、複数ページから変更ページを選択および変更ページの印刷条件の変更内容の入力のために操作を行うための操作部を有することを特徴とする。
【００２７】
この請求項１７に記載の発明では、操作部により、ページの選択および印刷条件の変更の操作を行う。
また、請求項１８に記載の発明にかかる画像形成装置は、請求項１７に記載の発明において、前記操作部が、前記選択をページ単位で行うか、あるいは印刷条件が同一である複数ページを有するグループ単位で行うかを切り換える切換部を有することを特徴とする。
【００２８】
この請求項１８に記載の発明では、切換部により、ページ単位あるいはグループ単位の切り換えを行う。
また、請求項１９に記載の発明にかかる画像形成装置は、請求項１８に記載の発明において、前記操作部が、前記選択をページ単位あるいグループ単位で移動するシフト手段を備えることを特徴とする。
【００２９】
また、請求項２０に記載の発明にかかる画像形成装置は、請求項１９に記載の発明において、複数ページから変更ページを選択および変更ページの印刷条件の変更内容の入力のために操作を行うための操作部を有し、前記操作部は、複数ページを指定するページ適用手段を備えることを特徴とする。
【００３０】
また、請求項２１に記載の発明にかかる画像形成装置は、請求項１５ないし２０のいずれか１つに記載の発明において、前記変更部が、前記変更を前記複数ページをすべて含むジョブに行うジョブ適用手段を備えることを特徴とする。
【００３１】
また、請求項２２に記載の発明にかかる画像形成装置は、請求項２１に記載の発明において、複数ページから変更ページを選択および変更ページの印刷条件の変更内容の入力のために操作を行うための操作部を有し、前記操作部は、前記ジョブを指定するジョブ適用手段を備えることを特徴とする。
【発明の効果】
【００３２】
以上説明したように、請求項１に記載の発明によれば、試しプリントで確認される設定ミスがあるページ部分のみを選択し、変更することができ、労力および時間のかからない簡易な再設定であると同時に、再設定ミスを減らすことができる。
【００３３】
請求項２に記載の発明によれば、試しプリント後の印刷条件を表示することができる。
請求項３に記載の発明によれば、オペレータは、試しプリント後の印刷条件を確認することができる。
【００３４】
請求項４に記載の発明によれば、ページ単位あるいはグループ単位に選択を行うことができる。
請求項５に記載の発明によれば、オペレータは、変更ページの選択および変更ページの印刷条件の変更を行うことができる。
【００３５】
請求項６に記載の発明によれば、ページ単位あるいはグループ単位の選択を行うことができる。
請求項７に記載の発明によれば、オペレータは、目的とするページあるいはグループを容易に選択することができる。
【００３６】
請求項８に記載の発明によれば、指定される単数あるいは複数ページの印刷条件を異なるものとすることができる。
請求項９に記載の発明によれば、オペレータは、異なる印刷条件のページの指定を、容易に行うことができる。
【００３７】
請求項１０に記載の発明によれば、指定されるグループの印刷条件を異なるものとすることができる。
請求項１１に記載の発明によれば、オペレータは、異なる印刷条件のグループの指定を、容易に行うことができる。
【００３８】
請求項１２に記載の発明によれば、指定されるジョブの印刷条件を異なるものとすることができる。
請求項１３に記載の発明によれば、オペレータは、異なる印刷条件のジョブの指定を、容易に行うことができる。
【００３９】
請求項１４に記載の発明によれば、ジョブの試しプリントにより、すべての変更の確認を一度に行うことができる。
請求項１５に記載の発明によれば、グループ毎に印刷条件の変更を行うことが可能なため、変更の労力および時間のかからない簡易な再設定であると同時に、再設定ミスを減らすことができる。
【００４０】
請求項１６に記載の発明によれば、ページ単位あるいはグループ単位に選択を行うことができる。
請求項１７に記載の発明によれば、オペレータは、変更ページの選択および変更ページの印刷条件の変更を行うことができる。
【００４１】
請求項１８に記載の発明によれば、ページ単位あるいはグループ単位の選択を行うことができる。
請求項１９に記載の発明によれば、オペレータは、目的とするページあるいはグループを容易に選択することができる。
【００４２】
請求項２０に記載の発明によれば、オペレータは、異なる印刷条件のページの指定を、容易に行うことができる。
請求項２１に記載の発明によれば、指定されるジョブの印刷条件を異なるものとすることができる。
【００４３】
請求項２２に記載の発明によれば、オペレータは、異なる印刷条件のジョブの指定を、容易に行うことができる。
【発明を実施するための最良の形態】
【００４４】
以下に添付図面を参照して、この発明にかかる画像形成装置を実施するための最良の形態について説明する。なお、これにより本発明が限定されるものではない。
まず、本実施の形態にかかる画像形成装置の全体構成について説明する。図２は、画像形成装置の全体構成を示す図である。この画像形成装置は、デジタル複合機１００、パンチユニット１１０および後処理装置１２０を含む。デジタル複合機１００は、本体および給紙トレイ１０１からなり、本体は、読み取り手段の例であるスキャナ部１０２、画像形成手段の一部をなすプリンター部１０３、給紙トレイ１０７、搬送路１０９および１１１、制御部１６１をなすＣＰＵ１０５および画像メモリ１０６等を含む。また、穴開け処理を行うパンチユニット１１０は、パンチ部１１７およびパンチ部１１７を制御する制御部１１６を含む。また、後処理装置１２０は、搬送路１２１〜１２４、ゲート１７０、シフト部１５１、スタック部１４０、ステープル部１４１、排紙皿をなすメイントレイ１４２およびサブトレイ１４４、並びに、制御部１６０を含む。パンチユニット１１０および後処理装置１２０は、後処理部をなし、前述のプリンター部１０３等とともに画像形成手段を構成する。
【００４５】
操作部１０８は、印刷条件の設定、表示および変更するための、ＬＣＤ（Ｌｉｑｕｉｄ  Ｃｒｙｓｔａｌ  Ｄｉｓｐｌａｙ）等の表示部、タッチパネルおよびテンキー等の入力部、並びに表示部に印刷条件を表示するための出力部を備える。なお、操作部１０８は、後述する試しプリント後の印刷条件の選択および変更を行う設定手段も含む。
【００４６】
また、操作部１０８には、図示しない、スキャナ部１０２による原稿の読み取り開始を指示する読取開始釦、画像形成の開始を指示する画像形成開始釦、試しプリントの開始を指示する試しプリント開始釦も設けられている。
【００４７】
なお、本発明における印刷条件とは、複数ページからなる画像情報を画像形成する際に出力するための条件であり、後処理、情報付加、レイアウト、両面／片面複写、排出先トレイ選択等がある。具体例でいうと、後処理としては、ステープル、パンチ、および排出先トレイ選択など、情報付加としては、各ペ−ジにおけるページ番号の付加など、レイアウトとしては、出力１ページのレイアウトであり、原稿画像の複数ページを１枚に出力する処理などのいわゆるＮ in １処理がある。
【００４８】
スキャナ部１０２は、プラテンガラス上に載置された原稿の画像をページ単位で読み取る。そして、プリンター部１０３は、印刷条件に基づいて、給紙トレイ１０１の搬送路１０９、あるいは給紙トレイ１０７から供給される記録媒体である記録紙を入力し、記録紙上に、スキャナ部１０２で読み取られた画像を転写し、画像形成を行う。さらにプリンター部１０３で画像形成された記録紙は、プリンター部１０３から搬送路１１１を介して、パンチユニット１１０に給紙される。
【００４９】
パンチユニット１１０は、デジタル複合機１００からの記録紙に、印刷条件に基づいて、パンチ部１１７でパンチ穴を開ける。その後、後処理装置１２０は、パンチユニット１１０から排紙された記録紙を搬送路１２１に取り込み、ゲート１７０により、メイントレイ１４２に排紙するかあるいはサブトレイ１４４に排紙するか、さらにメイントレイに排紙する際には、後処理工程のシフト部１５１でシフト処理を行うかステープル部１４１でステープル処理を行うかにより搬送路１２２〜１２４が選択される。
【００５０】
ここで、後処理装置１２０のスタック部１４０は、後処理工程のステープル処理を行う際に、複数枚の記録紙を蓄積する。そして、同じく後処理装置１２０のステープル部１４１は、このスタック部１４０に蓄積された記録紙に、制御部１６０からの指示により、ステープル針を打ち込み、綴じ合わせを行う。
【００５１】
なお、搬送路１２４からスタック部１４０上部に搬入された記録紙は、自重により平綴じストッパーまで滑り落ち停止する。これにより、スタック部１４０内の複数の記録紙が、搬送方向に位置合わせされ、搬送方向の整合状態となる。また、搬送方向と直交する記録紙面の幅揃えは、図示しない、図２の紙面と直交する軽打機構により、制御部１６０からの指示により、記録紙を軽打し、幅整合が行われる。また、ステープルが実行された複数の記録紙は、スタック部１４０内の排紙ベルトにより、後端を排出爪により保持されつつ上方に押し上げられ、メイントレイ１４２に排紙される。
【００５２】
シフト部１５１は、搬送路１２１からゲート１７０を介して搬送路１２３に入力したストレート排紙の記録紙を、メイントレイ１４２上に、記録紙搬送方向と直角方向に位置をずらして排紙する。これにより、異なる内容が複写された記録紙を、メイントレイ１４２上で分別することができる。
【００５３】
サブトレイ１４４は、搬送路１２２に入力した記録紙を排紙した後の受け皿となる。サブトレイ１４４は、後処理装置１２０の上段に位置しており、排紙された記録紙を、後処理装置１２０の上部から容易に取り出すことができる。
【００５４】
つづいて、デジタル複合機１００の制御部１６１を中心とする画像情報および印刷条件の流れを示す機能ブロック図を図３に示す。スキャナ部１０２から画像情報が読み込まれる場合は、スキャナ部１０２のＣＣＤ（Ｃｈａｒｇｅ  Ｃｏｕｐｌｅｄ  Ｄｅｖｉｃｅ）で原稿の画像情報を読み取り、その後、制御部１６１の読み取り処理部２２１で読み込まれた後に、圧縮ＩＣ２２２により画像圧縮され、画像メモリ１０６に記憶される。また、各画像情報の印刷条件は、設定部を有する操作部１０８から、ジョブ単位、複数ページ単位あるいはページ単位のいずれかでの入力が可能であり、同じく画像メモリ１０６に保存される。
【００５５】
また、端末１３０からＬＡＮ（Ｌｏｃａｌ  Ａｒｅａ  Ｎｅｔｗｏｒｋ）を介して画像情報を読み込む場合には、画像情報を、画像処理部１１２の画像メモリ１１３に読み込み、その後、バス２０４を介して制御部１６１の画像メモリ１０６に読み込む。その後、画像メモリ１０６の画像情報は、ＤＲＡＭ制御ＩＣ２２５を介して圧縮ＩＣ２２２に転送され、そこで圧縮された後に、再び画像メモリ１０６に格納される。
【００５６】
なお、画像メモリ１０６および１１３は、ＤＲＡＭ（Ｄｙｎａｍｉｃ  Ｒａｎｄａｍ  Ａｃｃｅｓｓ  Ｍｅｍｏｒｙ）を用いて構成されており、各々、記憶情報のリフレッシュを行うＤＲＡＭ制御ＩＣ２２５および２２６により制御される。
【００５７】
画像メモリ１０６に格納された画像情報の圧縮データは、ＤＲＡＭ制御ＩＣ２２５を介して伸張ＩＣ２２４に転送されて画像情報の伸張が行われ、その後読み出し処理部２２３から、プリンター部１０３の例えばＬＤ（Ｌａｓｅｒ  Ｄｉｏｄｅ）に送信され、画像形成が行われる。また、画像メモリ１０６の印刷条件は、ＣＰＵ１０５を介して、プリンター部１０３のプリンター制御部１１８に転送される。プリンター制御部１１８は、この印刷条件に基づいて、プリンターの制御、さらには後続する、パンチユニット１１０および後処理装置１２０の制御を行う。
【００５８】
なお、本画像形成装置では、複数ページからなる原稿から複写画像を形成するに際して、複数ページからなる原稿を複数のグループに分け、グループ毎に設定手段により印刷条件を設定する。読取開始釦を押すことにより読取手段であるスキャナ部１０２によってグループ毎に原稿の画像を読み取り、記憶手段である画像メモリ１０６に原稿画像を記憶させる。続いて、画像形成開始釦を押すことにより、画像形成手段であるプリンター部１０３によって、グループ毎に設定された印刷条件に従ったグループ毎の複写画像の形成を、全グループに対して行う。
【００５９】
図１は、制御部１６１における、画像情報および印刷条件の画像メモリ１０６への書き込みおよび読み出しを示す機能ブロック図である。制御部１６１は、読み取り手段２００、画像メモリ１０６、印刷条件設定部である読み出し手段２０３、試しプリント部２０４および変更部２０５を含む。なお、読み取り手段２００、読み出し手段２０３、試しプリント部２０４および変更部２０５を構成するハードウェアは、ＣＰＵ１０５、不揮発メモリ２２０、ＤＲＡＭ制御ＩＣ２２５、読み取り処理部２２１、圧縮ＩＣ２２２、伸張ＩＣ２２４および読み出し処理部２２３等である。
【００６０】
操作部１０８は、一群の画像情報、すなわち図１の例では原稿１〜５を読み込む際に、オペレータにより印刷条件が設定される。この印刷条件は、ジョブ単位、グループを形成する複数ページ単位、あるいはページ単位に設定が行われ、制御部１６１は、この印刷条件および原稿１〜５の画像情報を読み取り手段２００により画像メモリ１０６に読み込む。そして、原稿１〜５の画像情報は、圧縮ＩＣ２２２により圧縮され、その後、ページ書き込み手段２０１は、入力されたジョブ単位、複数ページ単位あるいはページ単位の印刷条件から、圧縮された画像情報のページごとに、個別印刷条件を生成する。そして、この個別印刷条件を対応するページの圧縮データにリンク等させることにより関連付けて、個別印刷条件および圧縮データを画像メモリ１０６に格納する。ページ書き込み手段２０１は、この操作を繰り返し、一群の画像情報を画像メモリ１０６に格納する。なお、図１では、操作部１０８およびスキャナ部１０２から、印刷条件および画像情報が読み込まれるとしたが、端末１３０から印刷条件および画像情報を入力する場合は、図３に示す端末１３０からＬＡＮ（Ｌｏｃａｌ  Ａｒｅａ  Ｎｅｔｗｏｒｋ）を介して読み込む。そして、画像情報および印刷条件を、画像処理部１１２の画像メモリ１１３に読み込み、その後、バス２４０を介して制御部１６１の画像メモリ１０６に読み込む。なお、画像処理部１１２に読み込まれる印刷条件は、ジョブ単位、複数ページ単位あるいはページ単位のいずれかで入力される。
【００６１】
画像メモリ１０６に格納された個別印刷条件および圧縮データは、印刷条件設定部である読み出し手段２０３により読み出される。読み出し手段２０３のページ読み出し手段２０２では、圧縮データおよびこの圧縮データに関連付けられた個別印刷条件が対になって順次読み出される。圧縮データは、伸張ＩＣ２２４により伸張され、その後、画像情報として、対応する個別印刷条件とともに、プリンター部１０３に送信される。
【００６２】
変更部２０５は、操作部１０８からのページ指定に基づいて、画像メモリ１０６の指定されたページの個別印刷条件を、印刷条件設定部である読み出し手段２０３により読み出し、操作部１０８に表示する。また、変更部２０５は、操作部１０８からのページ指定された印刷条件の変更情報を、読み取り手段２００により、画像メモリ１０６の該当ページに書き込む。ここで、変更部２０５は、読み出しの際には、操作部１０８の後述する切換部８１０からの指示により、ページ単位あるいはグループ単位に行われ、また書き込みの際には、操作部１０８の後述するページ適用手段８３０，グループ適用手段８４０およびジョブ適用手段８５０からの指示により、指定されるページ、グループおよびジョブでの書き込みを行うページ変更手段、グループ変更手段およびジョブ変更手段を有する。
【００６３】
試しプリント部２０４は、操作部１０８からの釦指示により試しプリントを行う。この試しプリントでは、画像メモリ１０６に保存されるジョブ単位の個別印刷条件および画像情報の圧縮データをページ読み出し手段２０２により読み出し、画像情報を伸張の後にプリンター部１０３に送信し、プリント出力を行う。なお、試しプリント部２０４は、プリント出力終了と共に終了信号を、図示しない手段により操作部１０８に送信する。また、試しプリントをジョブ単位に限定せず、特定のグループあるいはページについてのみ行う様にすることもできる。
【００６４】
次に、図４を用いて、本発明にかかるデジタル複合機１００の動作を示す。まず、オペレータは、設定手段を有する操作部１０８から、印刷条件の入力方法、すなわちジョブ単位か、複数ページ単位かあるいはページ単位かを選択し、その後、原稿の印刷条件を設定する（ステップＳ３０１）。この設定では、操作部１０８のタッチパネルあるいはテンキーから、原稿サイズ、印刷枚数、濃淡といったプリンター情報に加えて、印刷条件として、パンチ処理あるいはステープル処理等の後処理情報も同時に設定される。なお、この設定では、グループ毎、ページごとの後処理も含めて設定することが出来るので、印刷条件は、複雑多岐に渡る。
【００６５】
図５に、この設定の為の操作部１０８の表示画面の一例を示す。図５（Ａ）および（Ｂ）の表示画面およびテンキー４１０は、ページ単位の印刷条件を確認および変更する設定手段である。この表示画面は、入力される印刷条件ごとに複数の原稿を鳥瞰する鳥瞰表示部４００、各原稿のページ単位の印刷条件を表示する個別表示部４０１およびシフトキー４１１を含んでいる。鳥瞰表示部４００では、一枚の原稿を象徴する画像表示（間取り）が、設定が行われるすべての原稿枚数分、横一列に位置ずれを持って、重ね合わされた配置をしている。ここでは、１枚の原稿を１つの矩形で表示している。また、個別表示部４０１には、鳥瞰表示部４００の選択された間取りに対応する原稿のページ単位の印刷条件が列挙される。なお、一枚の原稿を象徴する間取りの選択は、テンキー４１０によるページ指定あるいは表示画面右上のシフトキー４１１によるシフトにより行われる。なお、鳥瞰表示部４００の一枚の原稿を象徴する間取りは、異なる印刷条件を有する原稿に対応した間取りごとに異なる表示、例えば色分けあるいは網掛け表示とされる。
【００６６】
また、この設定手段をなす表示画面は、スキャナ部１０２から画像情報を読み込んだ後に、印刷条件の確認および変更を行う為に用いることも出来る。この場合、個別表示部４０１の左側には、出力原稿の縮小された画像がサムネイル表示され、オペレータが容易に、出力原稿の確認を行える様になっている。
【００６７】
図５（Ａ）は、１２枚の原稿を読み取り、印刷を行う際に、２ページ目の個別表示を行った例である。この例では、３〜７ページでステープル処理が行われるので、対応する間取りは網掛け状態で表示されている。図５（Ｂ）は、図５（Ａ）と同様の例で、１２枚の原稿を読み取り印刷を行う際に、３ページ目の個別表示を行った例である。この例では、３〜７ページでステープル処理が行われるので、サムネイル表示４０４を行う画像には、ステープル処理を模式的に示す図が付加される。
【００６８】
その後、図４に戻り、オペレータは、入力した印刷条件の確認を行う（ステップＳ３０２）。この確認は、特に、印刷条件が複雑多岐に渡る場合に、間違いの無い出力を行う為に必要とされる。そして、オペレータは、図５に示した設定手段を用いて、印刷条件が正しいかどうかを判定する（ステップＳ３０３）。印刷条件が正しくない場合には（ステップＳ３０３否定）、ステップＳ３０１に移行し、印刷条件の設定を再度行う。
【００６９】
また、オペレータは、印刷条件が正しい場合には（ステップＳ３０３肯定）、スキャナ部１０２に原稿を配設し、画像情報の読み取りおよび画像メモリ１０６への書き込みを行う（ステップＳ３０４）。この書き込みにおいては、図１に示したページ書き込み手段２０１を用いて、ジョブ単位、複数ページ単位あるいはページ単位で入力された印刷条件を、画像情報ごとの個別印刷条件とし、画像情報の圧縮データとリンクした上で、画像メモリ１０６に格納する。
【００７０】
その後、制御部１６１は、読み込み回数を終了しているかどうかを判定し（ステップＳ３０６）、読み込み回数を終了していない場合には（ステップＳ３０６否定）、ステップＳ３０１に移行し、ステップＳ３０１の印刷条件の設定を行う。
【００７１】
また、制御部１６１は、読み込み回数を終了している場合には（ステップＳ３０６肯定）、操作部１０８からの入力情報により、試しプリントを行うかどうかを判定する（ステップＳ３０７）。ここで、制御部１６１は、試しプリントを行う場合には（ステップ３０７肯定）、試しプリント処理を行い（ステップＳ３０８）、試しプリントを行わない場合には（ステップ３０７否定）、画像メモリ１０６の圧縮データおよび個別印刷条件を読み出すことにより、一連の画像情報の読み出しを行う（ステップＳ３０９）。なお、試しプリントの指示は、図９に示す試しプリントボタン８７０を押すことにより行うことができる。また、ステップＳ３０８の試しプリント処理については、後に詳述する。
【００７２】
ステップＳ３０９の画像情報の読み出しでは、図１に示したページ読み出し手段２０２を用いて、圧縮データおよびこの圧縮データにリンクされた個別印刷条件が順次読み出される。この圧縮データは、伸張の後に、画像情報として個別印刷条件と共にプリンター部１０３に送信される。
【００７３】
その後、プリンター部１０３のプリンター制御部１１８は、個別印刷条件に基づいて、画像情報のプリント処理（ステップＳ３１０）をページ単位で行い、さらに個別印刷条件には、後処理情報も含まれるので、パンチユニット１１０および後処理装置１２０は、プリンター制御部１１８からの印刷条件に含まれる後処理情報に基づいて、後処理を行い（ステップＳ３１１）、記録紙を排紙トレイに排紙し（ステップＳ３１２）、本処理を終了する。
【００７４】
ここで、画像メモリ１０６からプリンター部１０３へ送信される個別印刷条件の例およびこの個別印刷条件に基づいた、ステップＳ３１１で行われるパンチユニット１１０および後処理装置１２０の後処理、さらにメイントレイ１４２あるいはサブトレイ１４４への排紙の例を示す。
【００７５】
図６（Ａ）は、ページ単位で印刷条件を入力した場合の、個別印刷条件の例を表にしたものである。なお、上向き矢印の記入されている欄は、上の欄と印刷条件が同じであることを表している。この個別印刷条件は、図１の機能ブロック図に示した例に対応するもので、印刷条件が設定された１〜５ページの原稿にリンクする個別印刷条件に関するものである。表の縦軸は、ページ番号を示し、横軸は、印刷条件が項目別に示されている。ここで、ページごとに、後処理項目、排紙トレイの選択、部数、および処理の区切りを示す区切り情報が、個別印刷条件として表示されている。この区切り情報は、例えば冊子単位処理を行う場合の区切り情報として用いられる。図６（Ｂ）は、図６（Ａ）の個別印刷条件に基づいて、排紙を行った際に出力される記録紙を例示したものである。図６（Ｂ）では、図６（Ａ）の各ページに示された部数の記録紙が、指定されたメイントレイ１４２あるいはサブトレイ１４４に出力され、かつ、指定のあるページにパンチユニット１１０によりパンチ処理が施されている。
【００７６】
つづいて、ステップＳ３０８の試しプリント処理について図７を用いて説明する。図７は、試しプリント処理の動作を示すフローチャートである。まず、制御部１６１は、印刷条件設定部である読み出し手段２０３により１ジョブの画像情報の読み出しを行う（ステップＳ６０１）。
【００７７】
その後、制御部１６１は、プリンター部１０３に１ジョブ分の画像情報および個別印刷条件を転送し、プリント処理を行う（ステップＳ６０２）。そして、パンチおよびステープル処理等の後処理の後に排紙トレイへの排紙を行う（ステップＳ６０３）。制御部１６１は、１ジョブ分のプリントおよび排紙が終了したかどうかを判定し（ステップＳ６０４）、終了していない場合には（ステップＳ６０４否定）、ステップＳ６０２に移行しプリント処理を繰り返す。また、制御部１６１は、１ジョブ分のプリントおよび排紙が終了した場合には（ステップＳ６０４肯定）、印刷条件の変更処理を行う（ステップＳ６０５）。この変更処理では、１ジョブ分のプリント出力を、オペレータが確認し、不具合がある場合には印刷条件の変更を行う。なお、変更処理については、後に詳述する。
【００７８】
その後、オペレータは、変更の程度に応じてもう一度試しプリントを行うかどうかを判定する（ステップＳ６０６）。そして、もう一度試しプリントを行う場合には（ステップＳ６０６肯定）、ステップＳ６０１に移行し、試しプリントを再度行う。また、もう一度試しプリントを行わない場合には（ステップＳ６０６否定）、試しプリント処理を終了し、図４のステップＳ３０９に移行して通常のプリント出力動作を行う。
【００７９】
つづいて、ステップＳ６０５の変更処理について図８を用いて説明する。図８は、制御部１６１の変更処理の動作を示すフローチャートである。まず、オペレータは、試しプリント出力に基づいて、プリント出力が意図するものかどうかの確認を行う。また、同時に制御部１６１は、試しプリント終了後、自動的に試しプリントの変更画面に移行する（ステップＳ７０１）。
【００８０】
ここで、操作部１０８の変更画面について図９および図１０を用いて説明する。図９および図１０は、試しプリントの変更画面の一例である。この変更画面は、図５に示す初期設定を行う際の表示画面に類似するものなので、相違点を中心に説明し、同一部分は説明を省略する。変更画面は、表示形式の選択を行う切換部８１０、鳥瞰表示部４００、シフト手段でもあるシフトキー４１１および個別表示部８６０を含み、さらに、個別表示部８６０は、サムネイル表示４０４、印刷条件表示部８２０、ページ適用手段８３０、グループ適用手段８４０およびジョブ適用手段８５０を含む。なお、個別表示部８６０は、図５に示す個別表示部４０１に対応するものである。
【００８１】
切換部８１０は、印刷条件表示部８２０にページ単位の印刷条件をページ表示するか、グループ単位の印刷条件をグループ表示するかを切り替える切替釦である。図９は、切換部８１０により、ページ表示が選択された例であり、図１０は、切換部８１０により、グループ表示が選択された例である。個別表示部８６０の印刷条件表示部８２０は、個別表示部８６０の左上部に表示される単数あるいは複数ページの印刷条件を表示する。なお、この表示部は、図５に示す表示画面のページ単位の印刷条件４０３および４０５と全く同様のもので、タッチキーをなしており、表示される印刷条件の項目にタッチすることにより、この項目の入力画面に移行し設定が行われる。
【００８２】
ページ適用手段８３０は、タッチ釦をなし、この釦にタッチすることにより図示しないページ指定画面に移行し、ページ指定を行う。そして、ページ適用手段８３０は、このページ指定情報と印刷条件表示部８２０に表示される項目の設定情報を、表示変換手段２０５のページ変換手段に転送し、ページ書き込み手段２０１を用いて、画像メモリ１０６内にページごとに画像情報と対応させ格納する。
【００８３】
グループ適用手段８４０は、タッチ釦をなし、この釦にタッチすることにより変更画面に表示される印刷条件のグループ指定を行う。そして、グループ適用手段８４０は、このグループ指定情報と印刷条件表示部８２０に表示される項目の設定情報を、表示変換手段２０５のグループ変換手段に転送し、ページ書き込み手段２０１を用いて、画像メモリ１０６内にページごとに画像情報と対応させ格納する。なお、図１０に示す様に、切換部８１０でグループ表示が選択される際には、グループ適用手段８４０は入力動作を行わないマスク状態とされる。
【００８４】
ジョブ適用手段８５０は、タッチ釦をなし、この釦にタッチすることにより変更画面に表示される印刷条件のジョブ指定を行う。そして、ジョブ適用手段８５０は、このジョブ指定情報と印刷条件表示部８２０に表示される項目の設定情報を、表示変換手段２０５のジョブ変換手段に転送し、ページ書き込み手段２０１を用いて、画像メモリ１０６内にページごとに画像情報と対応させ格納する。
【００８５】
ここで、図９（Ａ）および（Ｂ）は、切換部８１０により、ページ表示が選択された例で、図９（Ａ）は２ページ目にステープルなしが設定される場合で、図９（Ｂ）は３ページ目にステープル有りが設定される場合である。また、図１０（Ａ）および（Ｂ）は、切換部８１０により、グループ表示が選択された例で、図１０（Ａ）は１〜２ページ目のグループにステープルなしが設定される場合で、図１０（Ｂ）は３〜７ページ目のグループにステープル有りが設定される場合である。
【００８６】
なお、鳥瞰表示部４００、シフトキー４１１、サムネイル表示４０４およびテンキー４１０は、図５に示したものと全く同様の機能を有する。ここで、鳥瞰表示部４００およびシフトキー４１１は、切換部８１０により、ページ表示が選択される場合にはページ単位の表示およびシフトを行い、グループ表示が選択される場合にはグループ単位の表示およびシフトを行う。
【００８７】
図８に戻り、オペレータは、変更画面の切換部８１０により表示形式を選択する（ステップＳ７０２）。ここで、オペレータは、プリント出力の出力ミスの状況に基づいて、変更ページがページ単位のものかあるいはグループ単位のものになるかを判断し、選択を行う。そして、制御部１６１は、切換部８１０でページ表示が選択され、ページ単位の表示を行うかどうかを判定する（ステップＳ７０３）。ここで、制御部１６１は、ページ単位の表示を行う場合には（ステップＳ７０３肯定）、図９の様なページ表示を行う（ステップＳ７０４）。
【００８８】
その後、オペレータは、図９に示す変更画面に基づいて、シフトキー４１１によるページ選択および印刷条件表示部８２０上へのタッチによる項目の選択により、変更するページおよび項目を選択する（ステップＳ７０５）。そして、図示しない項目ごとの設定変更画面により、設定の変更を行う（ステップＳ７０６）。
【００８９】
また、制御部１６１は、ページ単位の表示を行わない場合には（ステップＳ７０３否定）、図１０の様なグループ表示を行う（ステップＳ７０７）。そして、オペレータは、図１０に示す変更画面に基づいて、シフトキー４１１によるグループ選択および印刷条件表示部８２０上へのタッチによる項目の選択により、変更するグループおよび項目を選択する（ステップＳ７０８）。そして、図示しない項目ごとの設定変更画面により、設定の変更を行う（ステップＳ７０９）。
【００９０】
その後、オペレータは、変更された設定をページ書き込み手段２０１を用いて画像メモリ１０６内に格納する際に、指定されるページ単位で適用するかどうかを判定する（ステップＳ７１０）。ここで、制御部１６１は、ページ単位で適用する場合には（ステップＳ７１０肯定）、図示しないページ設定画面によりページ指定を行い、この指定ページにページ書き込み手段２０１を用いた新たな印刷条件の書き込みを行う（ステップＳ７１１）。また、オペレータは、ページ単位で適用を行わない場合には（ステップＳ７１０否定）、ステップＳ７１１を行わず次のステップに移行する。
【００９１】
その後、オペレータは、ページ書き込み手段２０１を用いて画像メモリ１０６内に格納する際に、さらにグループ単位で適用するかどうかを判定する（ステップＳ７１２）。ここで、制御部１６１は、グループ単位で適用する場合には（ステップＳ７１２肯定）、このページが所属するグループの各ページにページ書き込み手段２０１を用いた新たな印刷条件の書き込みを行う（ステップＳ７１３）。また、オペレータは、グループ単位で適用を行わない場合には（ステップＳ７１２否定）、ステップＳ７１３を行わず次のステップに移行する。
【００９２】
また、オペレータは、ページ書き込み手段２０１を用いて画像メモリ１０６内に格納する際に、さらにジョブ単位で適用するかどうかを判定する（ステップＳ７１４）。ここで、制御部１６１は、ジョブ単位で適用する場合には（ステップＳ７１４肯定）、このページが所属するジョブの各ページにページ書き込み手段２０１を用いた新たな印刷条件の書き込みを行う（ステップＳ７１５）。また、オペレータは、ジョブ単位で適用を行わない場合には（ステップＳ７１４否定）、ステップＳ７１５を行わず本処理を終了する。
【００９３】
つづいて、図８に示す変更処理における具体的な変更例を図１１〜１４に示す。ここで、図１１〜１４に示す図は、図６（Ａ）に示したものと同様の図で、縦軸のページ番号および横軸の項目別の印刷条件で指定される個別印刷条件が、ワークシート内に記載されている。なお、上向き矢印が記入されている欄は、上の欄と印刷条件が同じであることを現ししている。
【００９４】
図１１（Ａ）は、初期設定の一例である。この設定例では、設定項目である部数、紙サイズ、給紙トレイ、排紙トレイに加え、後処理に関するステープル、区切り情報およびパンチの項目が存在する。この例は、３〜７ページでステープル処理を行い、７ページ目にステープル処理の終了を示すの区切り情報が付加されている。ここで、ステープルを行わない１〜２ページ、ステープルを行う３〜７ページ、ステープルを行わない８〜１２ページは、各々グループ１〜３を形成し、１〜１２ページは１つのジョブを形成する。
【００９５】
図１１（Ｂ）は、図１１（Ａ）に示す初期設定に対して、試しプリント処理の後にページ単位の変更処理を用いて、２ページ目にパンチ処理を付加する例である。この例では、図９（Ａ）の変更画面において、切換部８１０のページ表示が選択され、シフトキー４１１により２ページ目が選択され、印刷条件表示部８２０の項目からパンチが選択され、このパンチの設定情報がありとされ、ページ適用手段８３０により、２ページを指定する。
【００９６】
図１２（Ａ）は、図１１（Ａ）に示す初期設定に対して、試しプリント処理の後に変更処理により、１〜３ページ目にパンチ処理を付加する例である。この例では、図９（Ａ）の変更画面において、切換部８１０のページ表示が選択され、シフトキー４１１により２ページ目が選択され、印刷条件表示部８２０の項目からパンチが選択され、このパンチの設定情報がありとされ、ページ適用手段８３０により、１〜３ページを指定する。
【００９７】
図１２（Ｂ）は、図１１（Ａ）に示す初期設定に対して、試しプリント処理の後のページ単位の変更処理により、１〜２ページ目（グループ１）にパンチ処理を付加する例である。この例では、図９（Ａ）の変更画面において、切換部８１０のページ表示が選択され、シフトキー４１１により２ページ目が選択され、印刷条件表示部８２０の項目からパンチが選択され、このパンチの設定情報がありとされ、グループ適用手段８４０により、１〜２ページが属しているグループを指定する。
【００９８】
図１３（Ａ）は、図１１（Ａ）に示す初期設定に対して、試しプリント処理の後のページ単位の変更処理により、ジョブ全体にパンチ処理を付加する例である。この例では、図９（Ａ）の変更画面において、切換部８１０のページ表示が選択され、シフトキー４１１により２ページ目が選択され、印刷条件表示部８２０の項目からパンチが選択され、このパンチの設定情報がありとされ、ジョブ適用手段８５０により、ジョブ全体にパンチを指定する。この際、ページ３〜７のステープル処理およびステープルの終了を示すページ７の区切り情報は、２ページ目の全設定情報が反映される。
【００９９】
図１３（Ｂ）は、図１１（Ａ）に示す初期設定に対して、試しプリント処理の後のグループ単位の変更処理により、グループ単位でパンチ処理を付加する例である。この例では、図１０（Ａ）の変更画面において、切換部８１０のグループ表示が選択され、シフトキー４１１により１〜２ページ目が選択され、印刷条件表示部８２０の項目からパンチが選択され、このパンチの設定情報がありとされ、グループ適用手段８４０により、グループ１全体にパンチを指定する。
【０１００】
図１４（Ａ）は、図１１（Ａ）に示す初期設定に対して、試しプリント処理の後のグループ単位の変更処理により、グループ単位および指定されるページ単位でパンチ処理を付加する例である。この例では、図１０（Ａ）の変更画面において、切換部８１０のグループ表示が選択され、シフトキー４１１により１〜２ページ目が選択され、印刷条件表示部８２０の項目からパンチが選択され、このパンチの設定情報がありとされ、グループ適用手段８４０により、１〜２ページのグループ１全体にパンチを指定し、さらにページ適用手段８３０により、１１〜１２ページを指定する。
【０１０１】
図１４（Ｂ）は、図１１（Ａ）に示す初期設定に対して、試しプリント処理の後のグループ単位の変更処理により、グループ単位およびジョブ単位でパンチ処理を付加する例である。この例では、図１０（Ａ）の変更画面において、切換部８１０のグループ表示が選択され、シフトキー４１１により１〜２ページ目が選択され、印刷条件表示部８２０の項目からパンチが選択され、このパンチの設定情報がありとされ、ジョブ適用手段８５０により、１〜１２ページのジョブ全体にパンチを指定する。この際、１〜２ページ目の全設定情報がジョブ全体に反映されるためステープルはなしとされる。
【０１０２】
次に、図４のステップＳ３０８の試しプリント処理の変形例を図１５を用いて説明する。まず、制御部１６１は、試しプリントのページ指定があるか否かを判断する（ステップＳ８０１）。ステップＳ８０１でページ指定がないと判断された場合、制御部１６１は、試しプリントのグループ指定があるか否かを判断する（ステップＳ８１０）。ステップＳ８１０でグループ指定がないと判断された場合、制御部１６１は、プリンター部１０３に１ジョブ分の画像情報および個別印刷情報を転送し（ステップＳ８１２）、プリント処理を行う（ステップＳ８０３）。ステップＳ８１０でグループ指定があると判断された場合、制御部１６１は、プリンター部１０３に、指定されたグループの画像情報と指定されたグループの印刷条件を転送し（ステップＳ８１１）、プリント処理を行う（ステップＳ８０３）。また、ステップＳ８０１でページ指定があると判断された場合、制御部１６１は、プリンター部１０３に、指定されたページの画像情報と指定されたページの印刷条件を転送し（ステップＳ８０２）、プリント処理を行う（ステップＳ８０３）。
【０１０３】
なお、試しプリントのページ指定は、図９に示す試しプリントボタン８７０を押し、続いて「適用ページを指定」ボタン８３０を押すことにより行うことができ、これにより試しプリントは、選択されている指定ページについて行われる。また、試しプリントのグループ指定は、図９に示す試しプリントボタン８７０を押し、続いて「グループに適用」ボタン８４０を押すことにより行うことができ、これにより試しプリントは、選択されているグループについて行われる。また、試しプリントをジョブ全体について行う場合には、試しプリントボタン８７０を押し、続いて「ジョブに適用」ボタン８５０を押すことにより行うことができる。
【０１０４】
その後、印刷条件に応じた後処理を行い（ステップＳ８０４）、排紙を行う（ステップＳ８０５）。
次に、ステップＳ８０１およびＳ８１０で判断された指定分のプリントが完了したかを判断し（ステップＳ８０６）、完了していない場合には、プリントを続行する。指定分のプリントが完了したら、変更処理を行う（ステップＳ８０７）。なお、変更処理については、図８と同様のため、説明を省略する。
【０１０５】
続いて、再度、試しプリントボタン８７０が押されたかを判断し（ステップＳ８０９）、押されている場合には、ステップＳ８０１へ戻る。再度、試しプリントボタン８７０が押されていない場合には、試しプリント処理を終了し、図４のステップＳ３０９に移行して通常のプリント出力動作を行う。
【０１０６】
上述してきたように、本実施の形態では、試しプリント処理の後に印刷条件の変更を行う際に、変更ページをページ単位あるいはグループ単位に選択表示し、この表示された印刷条件を変更の後に、指定されたページ、グループあるいはジョブごとに、変更部２０５を用いてページ単位の個別印刷条件を形成し、画像メモリ１０６に保持することとしているので、試しプリントで確認される設定ミスのあるページ部分のみの設定変更を効率的に行い、さらに画像メモリ１０６に個別印刷条件を保持する際の適用範囲もページ単位、グループ単位あるいはジョブ単位にごとに最適な範囲で持って行い、設定の労力および時間を軽減し、設定ミスも減らすことができる。
【０１０７】
また、本実施の形態では、後処理装置１２０およびパンチユニット１１０からなる後処理部を用いたが、さらに記録紙のソーティングを行うソーター等を後処理部に加えることもできる。
【図面の簡単な説明】
【０１０８】
【図１】デジタル複合機の制御部の機能ブロック図である。
【図２】画像形成装置の全体構成を示す図である。
【図３】デジタル複合機の制御部を中心とする画像形成装置の構成を示す図である。
【図４】画像形成装置の動作を示すフローチャートである。
【図５】実施の形態のページ単位の印刷条件を表示する表示画面の図である。
【図６】実施の形態のページ単位入力の個別印刷条件の例を示す図である。
【図７】実施の形態の試しプリント処理の動作を示すフローチャートである。
【図８】実施の形態の変更処理の動作を示すフローチャートである。
【図９】実施の形態のページ単位の印刷条件を変更する変更画面の図である。
【図１０】実施の形態のグループ単位の印刷条件を変更する変更画面の図である。
【図１１】実施の形態の個別印刷条件の変更を例示する図である（その１）。
【図１２】実施の形態の個別印刷条件の変更を例示する図である（その２）。
【図１３】実施の形態の個別印刷条件の変更を例示する図である（その３）。
【図１４】実施の形態の個別印刷条件の変更を例示する図である（その４）。
【図１５】試しプリント処理の変形例の動作を示すフローチャートである。
【符号の説明】
【０１０９】
１００  デジタル複合機
１０１  給紙トレイ
１０２  スキャナ部
１０３  プリンター部
１０６  画像メモリ
１０７  給紙トレイ
１０８  操作部
１０９  搬送路
１１０  パンチユニット
１１１  搬送路
１１２  画像処理部
１１３  画像メモリ
１１６  制御部
１１７  パンチ部
１１８  プリンター制御部
１２０  後処理装置
１２１、１２２、１２３、１２４  搬送路
１３０  端末
１４０  スタック部
１４１  ステープル部
１４２  メイントレイ
１４４  サブトレイ
１５１  シフト部
１６０、１６１  制御部
１７０  ゲート
２００  読み取り手段
２０１  ページ書き込み手段
２０２  ページ読み出し手段
２０３  読み出し手段
２０４  試しプリント部
２０５  変更部
２２０  不揮発メモリ
２２１  読み取り処理部
２２２  圧縮ＩＣ
２２３  読み出し処理部
２２４  伸張ＩＣ
２２５  制御ＩＣ
２４０  バス
４００  鳥瞰表示部
４０１、８６０  個別表示部
４０４  サムネイル表示
４１０  テンキー
４１１  シフトキー
８１０  切換部
８２０  印刷条件表示部
８３０  ページ適用手段
８４０  グループ適用手段
８５０  ジョブ適用手段
８７０  試しプリントボタン
【図１】
2006042303.tif 000003
【図２】
2006042303.tif 000004
【図３】
2006042303.tif 000005
【図４】
2006042303.tif 000006
【図５】
2006042303.tif 000007
【図６】
2006042303.tif 000008
【図７】
2006042303.tif 000009
【図８】
2006042303.tif 000010
【図９】
2006042303.tif 000011
【図１０】
2006042303.tif 000012
【図１１】
2006042303.tif 000013
【図１２】
2006042303.tif 000014
【図１３】
2006042303.tif 000015
【図１４】
2006042303.tif 000016
【図１５】
2006042303.tif 000017